(57)【要約】【課題】大型のドリンク缶等も容易に収容可能とした柔軟性のあるポケット部を得る。【解決手段】ドアトリム本体１のポケット設置部位にポケットカバー部材９を取付けることによって開口部６を有するポケット部７を形成し、ポケット部７の背面壁７ｂに貫通孔９ｃを形成し、貫通孔９ｃにおける背面壁７ｂの裏面側よりドリンク缶１０，１０ａを把持するホルダー部材１１のホルダー部を挿通させることによって、ホルダー部をポケット部７内に張出させた状態で、ホルダー部材１１をポケット部７の背面壁７ｂの外面側に設置し、ホルダー部材１１のホルダー部に、ドリンク缶１０，１０ａを弾性的に受け入れるように弾性変形可能なホルダー部１３を設けて、ホルダー部１３とポケット部７の前面壁７ａとの間に比較的大径のドリンク缶１０ａを挟着保持できるように構成した。【選択図】  図５
2004314826.tif 000002
【特許請求の範囲】
【請求項１】
ドアトリム等の内装部品本体のポケット設置部位にポケットカバー部材を取付けることによって開口部を有するポケット部を形成して、該ポケット部の前面壁及び背面壁のうち一方に貫通孔を形成し、該貫通孔における前記ポケット部の前面壁及び背面壁のうち一方の裏面側より収容物品を把持するホルダー部材のホルダー部を前記ポケット部内に表出させた状態で、前記ホルダー部材を前記ポケット部の前面壁及び背面壁のうち一方に設置し、且つ、前記ホルダー部材のホルダー部を、前記収容物品を弾性的に受け入れるように弾性変形可能に構成して、該ホルダー部と前記ポケット部の前面壁及び背面壁のうち他方との間に前記収容物品を挟着保持できるように構成したことを特徴とする自動車用内装部品に備えたポケット装置。
【請求項２】
前記ホルダー部材は、合成樹脂等の硬質材料により形成した芯材と該芯材を被覆する表皮材とで構成したことを特徴とする請求項１記載の自動車用内装部品を備えたポケット装置。
【請求項３】
前記表皮材の外周端部に弾性変形可能な断面略コ字状の巻き込み部を形成し、該巻き込み部を前記芯材の外周端末部に弾性的に巻き込むことによって、前記表皮材を前記芯材に装着したことを特徴とする請求項２記載の自動車用内装部品に備えたポケット装置。
【請求項４】
前記表皮材の外周端部を、前記ホルダー部材の前記ポケット部への装着によって、該ポケット部と前記芯材との間で挟着し、前記表皮材を前記芯材に装着したことを特徴とする請求項２記載の自動車用内装部品に備えたポケット装置。
【請求項５】
前記ホルダー部は、前記表皮材の裏面側に複数の小片突起を前記芯材に対して対向するように突出形成して、該小片突起を前記芯材に圧接させて弾性的に変形させ倒すことによって、前記ポケット部の前面壁及び背面壁のうち他方側との間の間隙巾寸法を拡大可能に構成したことを特徴とする請求項１ないし請求項４のいずれか一に記載の自動車用内装部品に備えたポケット装置。
【請求項６】
前記ホルダー部材における前記ホルダー部の下端側に前記ポケット部内側において凹形状となる段部を設けて、該段部により前記ホルダー部および前記ポケット部の前面壁及び背面壁のうち他方側の間に挟合された物品の下端部を支持するように構成したことを特徴とする請求項１ないし請求項５のいずれか一に記載の自動車用内装部品に備えたポケット装置。
【請求項７】
前記表皮材の裏面側に、前記小片突起より背高の係合突起を形成し、該係合突起を前記芯材に形成した係合孔部に挿入係合することによって、前記芯材に対する前記表皮の位置決めを行うように構成したことを特徴とする請求項１ないし請求項６のいずれか一に記載の自動車用内装部品に備えたポケット装置。
【請求項８】
自動車用内装部品に備えたポケット装置のポケット部内において収容物品を把持するホルダー部材であって、該ホルダー部材は、合成樹脂等の硬質材料より形成した芯材と該芯材を被覆する表皮材とで構成し、該表皮材の裏面側に複数の小片突起を前記芯材に対して対向するように突出形成し、該小片突起を前記芯材に圧接させて弾性的に変形し倒すことによって前記芯材側に弾性変形するホルダー部を構成し、且つ、前記ホルダー部材を前記内装部品の裏面側から装着することによって、前記内装部品に設けた貫通孔より前記ホルダー部を前記内装部品の表面側に表出可能に構成したことを特徴とする自動車用内装部品に備えたポケット装置を構成するホルダー部材構造。
【請求項９】
前記表皮材の外周端部に弾性変形可能な略断面コ字状の巻き込み部を形成し、該巻き込み部を前記芯材の外周端末部に弾性的に巻き込むことによって、前記表皮材を前記芯材に装着したことを特徴とする請求項８記載の自動車用内装部品に備えたポケット装置を構成するホルダー部材構造。
【請求項１０】
前記表皮材の外周端部を、前記ホルダー部材の前記内装部品への装着によって、該内装部品と前記芯材との間で挟着し、前記表皮材を前記芯材に装着したことを特徴とする請求項８記載の自動車用内装部品に備えたポケット装置を構成するホルダー部材構造。
【請求項１１】
前記ホルダー部材における前記ホルダー部を前記内装部品の裏面壁側に凹設することによって、前記ホルダー部の下端側に段部を設けたことを特徴とする請求項８ないし請求項１０のいずれか一に記載の自動車用内装部品に備えたポケット装置を構成するホルダー部材構造。
【請求項１２】
前記表皮の裏面側に、前記小片突起より背高の係合突起を形成し、該係合突起を前記芯材に形成した係合孔部に挿入係合することによって、前記芯材に対する前記表皮の位置決めを行うように構成したことを特徴とする請求項８ないし請求項１１のいずれか一に記載の自動車用内装部品に備えたポケット装置。
【発明の詳細な説明】
【０００１】
【発明の属する技術分野】
本発明は、自動車用内装部品例えばドアトリムに備えたポケット構造に係り、特に、ドリンク缶等の収容物品を安定して収容可能とするポケット部を有する自動車用内装部品のポケット構造に関する。
【０００２】
【従来の技術】
従来のこの種の自動車用内装部品のポケット構造は、例えば図８および図９に示したものが知られている（特許文献１参照）。
【０００３】
【特許文献１】
特開２０００−１４２２０１号公報（段落００１２〜００２３及び図１、図２等）
【０００４】
図８及び図９によれば、ドアトリム本体ａはアッパートリムｂとロアトリムｃとの上下二分割体で構成し、ロアトリムｃ側には、上部に開口部ｄを有するポケット部ｅが設けられている。
【０００５】
ポケット部ｅの前方端側が車室側に膨出して、ホルダー部ｆとなっている。
【０００６】
ホルダー部ｆは、開口部ｄに連通し、開口部ｄより奥行寸法を大きく設定したホルダー開口ｇを有して構成している。
【０００７】
そして、ホルダー部ｆの内壁面には、プレート状のガイドリブｈが一体に形成されている。
【０００８】
ガイドリブｈは、ドリンク缶ｉの挿入方向に対して斜め下方向に設定している。
【０００９】
この結果、乗員がドリンク缶ｉをホルダー部ｆ内に収容する際、図９に示すように、ホルダー開口部ｇからラフにドリンク缶ｉを挿入しても、ドリンク缶ｉの底部がガイドリブｈに突き当たり、ガイドリブ３２面上をドリンク缶ｉの底部が滑り落ち、ドリンク缶ｉをホルダー部ｆ内に収容することができる。
【００１０】
【発明が解決しようとする課題】
しかしながら、ガイドリブｈは、プレート状のリブ形状であるために定形性を有しており、ポケット部ｅの後面壁ｊとの間隙巾寸法が固定されることになる。
【００１１】
このために、この間隙巾寸法より大きな径を有するドリンク缶ｉのような収容物品を収容しようとしても、ガイドリブｈに阻まれて、ホルダー部ｆに収容することができないことになる。
【００１２】
本発明は、かかる点に鑑み、大型のドリンク缶等の収容物品も容易に収容可能とした柔軟性のあるポケット部を構成可能な自動車用内装部品に備えたポケット装置及びこのポケット装置を構成するホルダー部材を提供することを目的としている。
【００１３】
【課題を解決するための手段】
上記目的を達成するために、本発明に係る自動車用内装部品に備えたポケット装置は、ドアトリム等の内装部品本体のポケット設置部位にポケットカバー部材を取付けることによって開口部を有するポケット部を形成して、ポケット部の前面壁及び背面壁のうち一方に貫通孔を形成し、貫通孔におけるポケット部の前面壁及び背面壁のうち一方の裏面側より収容物品を把持するホルダー部材のホルダー部を前記ポケット部内に表出させた状態で、ホルダー部材をポケット部の前面壁及び背面壁のうちの一方に設置し、且つ、ホルダー部材のホルダー部を、収容物品を弾性的に受け入れるように弾性変形可能に構成し、ホルダー部とポケット部の前面壁及び背面壁のうち他方との間に収容物品を挟着保持できるように構成したことを特徴とするものである。
【００１４】
本発明によれば、ホルダー部の弾性変形により、大径のドリンク缶等の収容物品がポケット部に収容された際に、ホルダー部が収容物品の形状に合わせて弾性変形し、当該収容物品を弾性的に受け入れて、ホルダー部とポケット部の前面壁との間に挟着保持できることになり、収容物品の大きさに対して柔軟性のあるポケット部構造であるといえる。
【００１５】
又、本発明に係る自動車用内装部品に備えたポケット装置おけるホルダー部材は、合成樹脂等の硬質材料により形成した芯材と芯材を被覆する表皮材とで構成することによって、ポケット部の内部に貫通孔を通して表出していても、見栄えを低下させることがない。
【００１６】
又、本発明に係る自動車用内装部品に備えたポケット装置は、表皮材の外周端部に弾性変形可能な断面略コ字状の巻き込み部を形成し、巻き込み部を前記芯材の外周端末部に弾性的に巻き込むことによって、表皮材を芯材に装着したことを特徴とするものである。
【００１７】
本発明によれば、芯材への表皮材の装着は、従来のようなスタッカー止めや接着剤を用いなくても、簡単に可能となる。
【００１８】
又、本発明に係る自動車用内装部品に備えたポケット装置は、表皮材の外周端部を、ホルダー部材のポケット部への装着によって、ポケット部と芯材との間で挟着し、表皮材を芯材に装着したことを特徴とする。
【００１９】
本発明によれば、芯材への表皮材の装着は、従来のようなスタッカー止めや接着剤を用いなくても、簡単に可能となり、しかも、上記発明のような巻き込み部の芯材への巻き込み作業を廃止して、装着工数を軽減している。
【００２０】
又、本発明に係る自動車用内装部品に備えたポケット装置のホルダー部は、表皮材の裏面側に複数の小片突起を芯材に対して対向するように突出形成して、小片突起を前記芯材に圧接させて弾性的に変形させ倒すことによって、ホルダー部とポケット部の前面壁との間の間隙巾寸法を拡大可能に構成したことを特徴とする。
【００２１】
本発明によれば、小片突起が弾性的に変形し倒れることによって、ホルダー部とポケット部の前面壁との間の間隙寸法を拡大できることから、大径のドリンク缶等の収容物品も簡単に収容可能となり、しかも、収容物品を柔らかくしかも堅固に把持することができる。
【００２２】
又、本発明に係る自動車用内装部品に備えたポケット装置は、ホルダー部の下端側にポケット部内側において凹形状となる段部を設けて、段部によりホルダー部およびポケット部の前面壁及び背面壁のうち他方側の間に挟合された物品の下端部を支持するように構成したことを特徴とする。
【００２３】
本発明によれば、ホルダー部により把持された収納物品を段部により支持することにより、更に、収納物品の収納を安定的に行うことができる。
【００２４】
又、本発明に係る自動車用内装部品に備えたポケット装置は、表皮材の裏面側に、小片突起より背高の係合突起を形成し、係合突起を芯材に形成した係合孔部に挿入係合することによって、芯材に対する表皮の位置決めを行うように構成したことを特徴とする。
【００２５】
本発明によれば、係合突起を係合孔部に挿入係合することによって、芯材に対し表皮材を簡単に位置決めでき、表皮材の芯材への装着を簡単正確にすることができる。
【００２６】
又、本発明に係る自動車用内装部品に備えたポケット装置を構成するホルダー部材構造は、自動車用内装部品に備えたポケット装置のポケット部内において収容物品を把持するホルダー部材であって、ホルダー部材が、合成樹脂等の硬質材料より形成した芯材と該芯材を被覆する表皮材とで構成し、表皮材の裏面側に複数の小片突起を前記芯材に対して対向するように突出形成し、小片突起を芯材に圧接させて弾性的に変形し倒すことによって芯材側に弾性変形するホルダー部を構成し、且つ、ホルダー部材を内装部品の裏面側から装着することによって、内装部品に設けた貫通孔よりホルダー部を内装部品の表面側に表出可能に構成したことを特徴とする。
【００２７】
本発明に係るホルダー部材構造をポケット装置におけるポケット部のホルダー部材として用いることにすれば、ホルダー部材のホルダー部により、大径のドリンク缶等の収容物品がポケット部に収容された際に、ホルダー部が収容物品の形状に合わせて弾性変形し、当該収容物品を弾性的に受け入れて、ホルダー部とポケット部の前面壁との間に挟着保持できることになり、柔軟性のあるポケット部構造を得ることができる。
【００２８】
又、本発明に係る自動車用内装部品に備えたポケット装置を構成するホルダー部材構造は、表皮材の外周端部に弾性変形可能な略断面コ字状の巻き込み部を形成し、巻き込み部を芯材の外周端末部に弾性的に巻き込むことによって、表皮材を芯材に装着したことを特徴とする。
【００２９】
本発明によれば、芯材への表皮材の装着は、従来のようなスタッカー止めや接着剤を用いなくても、簡単に可能となる。
【００３０】
又、本発明に係る自動車用内装部品に備えたポケット装置を構成するホルダー部材構造は、表皮材の外周端部を、ホルダー部材の内装部品への装着によって、内装部品と芯材との間で挟着し、表皮材を芯材に装着したことを特徴とする。
【００３１】
本発明によれば、芯材への表皮材の装着は、従来のようなスタッカー止めや接着剤を用いなくても、簡単に可能となり、しかも、上記発明のような巻き込み部の芯材への巻き込み作業を廃止して、装着工数を軽減している。
【００３２】
又、本発明に係る自動車用内装部品に備えたポケット装置を構成するホルダー部材構造は、ホルダー部材におけるホルダー部の下端側にポケット部内側において凹形状となる段部を設けたことを特徴とする。
【００３３】
本発明によれば、ホルダー部により把持された収納物品を段部により支持することにより、更に、収納物品の収納を安定的に行うことができる。
【００３４】
又、本発明に係る自動車用内装部品に備えたポケット装置を構成するホルダー部材構造は、表皮の裏面側に、小片突起より背高の係合突起を形成し、係合突起を芯材に形成した係合孔部に挿入係合することによって、芯材に対する表皮材の位置決めを行うように構成したことを特徴とする。
【００３５】
本発明によれば、係合突起を係合孔部に挿入係合することによって、芯材に対し表皮材を簡単に位置決めでき、表皮材の芯材への装着を簡単正確にすることができる。
【００３６】
【発明の実施の形態】
以下、本発明における第１の実施の形態について、図１乃至図６を用いて説明する。
【００３７】
図１は、本発明に係る第１の実施の形態を採用した自動車用内装部品であるドアトリムの斜視図、図２は図１の円内を拡大して描画した斜視図、図３は図１の円内を描画した分解斜視図、図４は図１におけるホルダー部材の分解斜視図、図５は比較的小径の収納物品であるドリンク缶を収容した状態の図２のＡ−Ａ断面図、図６は同じく比較的大径の収納物品であるドリンク缶を収容した状態の図２のＡ−Ａ断面図である。
【００３８】
図１乃至図６によれば、ドアトリム本体１は、アッパートリム２とロアトリム３との上下二分割体から構成され、外観上のアクセント効果を付与するために、アッパートリム２は例えば樹脂芯材の表面に表皮材を貼着してなる貼り合せ成形体から構成すると共に、ロアトリム３は例えばＰＰ樹脂等の合成樹脂の射出成形体から構成されている。
【００３９】
ロアトリム３には、アームレスト部４が膨出形成されると共にスピーカグリル５が装着されている他に、略中央下部に開口部６を有するポケット部７を有して構成している。
【００４０】
ポケット部７は、ロアトリム３の裏面側に複数個の取付けボス８を形成し、取付けボス８にポケットカバー部材９の取付け孔９ａを嵌合し、取付け孔９ａより突出した取付けボス部８の先端を熱加締めすることにより、ポケットカバー部材９をロアトリム３の裏面側に装着してポケット状の収納部を形成して構成している。
【００４１】
ポケットカバー部材９には、その略中央部に位置するように、ロアトリム３の裏面側に凸状となった凹陥部９ｂを形成し、凹陥部９ｂには略長円形の貫通孔９ｃが形成されている。
【００４２】
凹陥部９ｂには、複数個の取付けボス９ｄが立設されており、取付けボス１１ｄに収納物品例えばドリンク缶１０、１０ａを把持するホルダー部１３を有するホルダー部材１１の取付け孔１１ａを嵌合して、取付け孔１１ａから突出した取付けボス９ｄの先端部を熱加締めすることにより、ホルダー部材１１は、ポケットカバー部材９の裏面側に装着されている。
【００４３】
ホルダー部材１１は、合成樹脂等の硬質材料により形成した芯材１１１と芯材１１１のポケット部７の前面壁７ａ側を被覆する表皮材１１２とで構成している。
【００４４】
表皮材１１２は、その外周端部に弾性変形可能な断面略コ字状に折曲形成された巻き込み部１１２ａを有している。
【００４５】
巻き込み部１１２ａは、芯材１１１の外周端末部を弾性的に巻き込むことによって、表皮材１１２を芯材１１１に装着している。
【００４６】
この時、芯材１１１側の孔１１１ａと表皮材１１２側の孔１１２ｂとが一致して、取付けボス１１ｂが挿通する貫通孔１１ｃを構成している。
【００４７】
表皮材１１２の上段部から下端やや中央側における裏面側には、複数の小片突起１２が形成されて、貫通孔１１ｃからポケット部７の背面壁７ｂに表出するホルダー部１３を形成している。
【００４８】
すなわち、小片突起１２は、芯材１１１に対向するように突出形成されていて、ホルダー部１３をポケット部７の内部側からドリンク缶１０，１０ａにより弾性変形させることにより、芯材１１１に圧接して弾性的に変形させ倒すことによって、ポケット部７の前面壁７ａとの間の間隙巾寸法を拡大可能に構成している。
【００４９】
この結果、ホルダー部１３は、収容物品であるドリンク缶１０，１０ａの胴部を弾性的に受け入れるように構成されていることになる。
【００５０】
更に、ホルダー部１３の下端部には、ポケット部７内側において凹状となる段部１３ａが形成され、ドリンク缶１０、１０ａがホルダー部１３およびポケット部７の前面壁７ａの間に挟合された時に、ドリンク缶１０，１０ａの下端部を段部１３ａが支持するように構成している。
【００５１】
芯材１１１側には、段部１３ａの裏面側が勘合する段状部１１１ｂが形成されている。
【００５２】
段部１３ａと略同等の高さ位置における表皮材１１２の裏面側に、小片突起１２より背高の係合突起１４を形成し、係合突起１４を芯材１１１に形成した係合孔部１５に挿入係合することによって、芯材１１１に対する表皮材１１２の位置決めを行うと共に、係合突起１４に設けた引っ掛け孔１４ａを、芯材１１１の裏面側に突設した引っ掛け片１６に引っ掛けることにより、係合突起１４が係合孔部１５から抜け出さないように構成した。
【００５３】
この結果、芯材１１１の外端部に表皮材１１２側の巻き込み部１１２ａを巻き込む場合、芯材１１１に対して表皮材１１２は位置決めされていることになり、孔１１１ａと孔１１２ｂとを簡単に一致させることができる。
【００５４】
そして、図５に示すように、ポケット部７内に比較的小径のドリンク缶１０，１０ａを収容する場合には、小片突起１２を芯材１１１によって少し倒れさせることによって、ホルダー部１３を芯材１１１側に弾性変形させ、ドリンク缶１０の下端部（底部）を段部１３ａに支持させるようになっている。
【００５５】
又、図６に示すように、ポケット部７内に比較的大径のドリンク缶１０ａを収容する場合には、小片突起１２を芯材１１１に圧接させて大きく倒れさせることによって、ホルダー部１３を芯材１１１側に大きく弾性変形させ、ドリンク缶１０の下端部（底部）を段部１３ａに支持させるようになっている。
【００５６】
上記のように構成する本発明に係る第１の実施の形態によれば、ホルダー部材１１のホルダー部１３により、大径のドリンク缶１０ａがポケット部７に収容された際に、ホルダー部１３がドリンク缶１０ａホルダーホルダー部１３と開口部６における前面壁７ａ側との間に挟着保持できることになり、収容物品の大きさに関わらず柔軟性あるポケット部構造であるといえる。
【００５７】
又、ホルダー部材１１は、合成樹脂等の硬質材料により形成した芯材１１１と芯材１１１を被覆する表皮材１１２とで構成することによって、ポケット部７の内部にホルダー部１３を貫通孔９ｃを通して表出していても、見栄えを低下させることがない。
【００５８】
又、表皮材１１２の外周端部に弾性変形可能な断面略コ字状の巻き込み部１１２ａを形成し、巻き込み部１１２ａを芯材１１１の外周端末部に弾性的に巻き込むことによって、表皮材１１２を芯材１１１に装着したことにより、芯材１１１への表皮材１１２の装着は、従来のようなスタッカー止めや接着剤を用いなくても、簡単に可能となる。
【００５９】
又、表皮材１１２の裏面側に複数の小片突起１２を芯材１１１に対して対向するように突出形成して、小片突起１２を芯材１１１に圧接させて弾性的に変形させ倒すことによって、ポケット部７の前面壁７ａとホルダー部１３の間の間隙巾寸法を拡大可能に構成したことから、大径のドリンク缶１０ａ等の収容物品も簡単に収容可能となり、しかも、収容物品を柔らかくしかも堅固に把持することができる。
【００６０】
又、ホルダー部材１１におけるホルダー部１３をポケット部７の背面壁７ｂに凹設することによって、ホルダー部１３の下端側に段部１３ａを設けて、段部１３ａによりホルダー部１３およびポケット部７の前面壁７ａに挟合されたドリンク缶１０，１０ａの下端部を支持するように構成したことから、ホルダー部１３により把持されたドリンク缶１０，１０ａを段部１３ａにより支持することにより、更に、ドリンク缶１０，１０ａの収納を安定的に行うことができる。
【００６１】
又、表皮材１１２の裏面側に、小片突起１２より背高の係合突起１４を形成し、係合突起１４を芯材１１１に形成した係合孔部１５に挿入係合することによって、芯材１１１に対する表皮材１１２の位置決めを行うように構成したことから、係合突起１４を係合孔部１５に挿入係合することによって、芯材１１１に対し表皮材１１２を簡単に位置決めでき、表皮材１１２の芯材１１１への装着を簡単正確にすることができる。
【００６２】
図７は本発明に係る第２の実施の形態を示している。
【００６３】
図７によれば、上記第１実施の形態における表皮材１１２の巻き込み部１１２ａを廃止して、表皮材１１２の外周端部を、ホルダー部材１１のポケット部７への装着によって、ポケット部７と芯材１１１との間で挟着し、表皮材１１２を芯材１１１に装着したもので、その他の構成は第１の実施の形態と同一構成となっている。
【００６４】
第２の実施の形態によれば、芯材１１１への表皮材１１２の装着が、従来のようなスタッカー止めや接着剤を用いなくても、簡単に可能となり、しかも、上記第１の実施の形態のような巻き込み部１１２ａの芯材１１１への巻き込み作業を廃止して、装着工数を軽減している。
【００６５】
なお、上記２つの実施の形態においては、ホルダー部材１１をポケット部７の背面壁７ｂ側に設けたが、これに限定されるものでなく、前面壁７ａ側に設ける構成でもよい。この場合、ホルダー部材１１が、ロアトリム３の表面側に表出することになるが、ロアトリム３の表面側に凹部を設け、この凹部にホルダー部材１１を埋設すると共に、ロアトリム３の表皮で被覆すれば、美観上或いは安全上等の問題はない。
【００６６】
又、上記実施の形態では、自動車用内装部品として、ドアトリムを例にして説明したが、これに限定されるものでなく、例えば、ラゲージサイドトリムやリヤサイドトリム等の内装部品にも適用できる。
【００６７】
【発明の効果】
以上説明したように、本発明は、ホルダー部材のホルダー部により、大径のドリンク缶等の収容物品がポケット部に収容された際に、ホルダー部が収容物品の形状に合わせて弾性変形し、当該収容物品を弾性的に受け入れて、ホルダー部とポケット部の前面壁との間に挟着保持できることになり、収容物品の大きさに対して柔軟性のあるポケット部構造であるといえる。
【図面の簡単な説明】
【図１】本発明に係る第１の実施の形態を採用した自動車用内装部品であるドアトリムの斜視図である。
【図２】図１の円内を拡大して描画した斜視図である。
【図３】図１の円内を描画した分解斜視図である。
【図４】図１におけるホルダー部材の分解斜視図である。
【図５】比較的小径の収納物品であるドリンク缶を収容した状態の図２のＡ−Ａ断面図である。
【図６】同じく比較的大径の収納物品であるドリンク缶を収容した状態の図２のＡ−Ａ断面図である。
【図７】本発明に係る第２の実施の形態を採用した自動車用内装部品であるドアトリムの要部を描画した断面図である。
【図８】従来における自動車用内装部品であるドアトリムの斜視図である。
【図９】図８におけるポケット部付近を拡大して描画した斜視図である。
【符号の説明】
１    ドアトリム本体（内装部品本体）
６    開口部
７    ポケット部
７ａ  前面壁
７ｂ  背面壁
９    ポケットカバー部材
９ｃ  貫通孔
１０，１０ａ  ドリンク缶（収容物品）
１１    ホルダー部材
１１１    芯材
１１２    表皮材
１１２ａ  巻き込み部
１２    小片突起
１３    ホルダー部
１３ａ  段部
１４    係合突起
１５    係合孔部
【図１】
2004314826.tif 000003
【図２】
2004314826.tif 000004
【図３】
2004314826.tif 000005
【図４】
2004314826.tif 000006
【図５】
2004314826.tif 000007
【図６】
2004314826.tif 000008
【図７】
2004314826.tif 000009
【図８】
2004314826.tif 000010
【図９】
2004314826.tif 000011